(57)【特許請求の範囲】
【請求項１】
表示領域と、前記表示領域の外側に位置する第１周辺領域を有する第１回路基板と、
前記表示領域と対向する対向領域と、前記対向領域の外側に位置する第２周辺領域とを有し、前記第１回路基板と部分的に重なる第２回路基板と、
前記第１周辺領域の第１端部で前記第１回路基板に接続された第１フレキシブル配線基板と、
前記第２周辺領域の第２端部で前記第２回路基板に接続された第２フレキシブル配線基板と、
を有し、
前記第２回路基板は、前記第１端部の側に位置する第３端部を有し、
前記第２端部は、前記第２回路基板の前記第３端部とは異なる側に位置し、
前記第１フレキシブル配線基板及び前記第２フレキシブル配線基板は、相互に重ならないように配置されており、
前記第１回路基板は、前記第１周辺領域に第１屈曲部を有し、
前記第２回路基板は、前記第２周辺領域に第２屈曲部を有し、
前記第１フレキシブル配線基板が前記第１屈曲部の屈曲方向に屈曲しており、
前記第２フレキシブル配線基板が前記第２屈曲部の屈曲方向に屈曲していることを特徴とする表示モジュール。
【請求項２】
請求項１に記載された表示モジュールにおいて、
前記第１屈曲部は、少なくとも前記第１端部に形成され、
前記第２屈曲部は、少なくとも前記第２端部に形成されることを特徴とする表示モジュール。
【請求項３】
請求項１又は２に記載された表示モジュールにおいて、
前記第２端部は、前記対向領域の前記第３端部とは反対の側に位置することを特徴とする表示モジュール。
【請求項４】
請求項１又は２に記載された表示モジュールにおいて、
前記第２端部は、前記第３端部と交差することを特徴とする表示モジュール。
【請求項５】
請求項４に記載された表示モジュールにおいて、
前記第２回路基板は、前記第１回路基板に重なる重複部分及び前記重複部分から突出する突出部分を有し、
前記第２端部は、前記突出部分の先端部を含み、
前記第２フレキシブル配線基板は、前記先端部で前記第２回路基板と接続していることを特徴とする表示モジュール。
【請求項６】
請求項４に記載された表示モジュールにおいて、
前記第１回路基板は、前記第２回路基板に重なる重複部分及び前記重複部分から突出する突出部分を有し、
前記第１端部は、前記突出部分の先端部を含み、
前記第１フレキシブル配線基板は、前記先端部で前記第１回路基板と接続していることを特徴とする表示モジュール。
【請求項７】
請求項１から６のいずれか１項に記載された表示モジュールにおいて、
前記第１フレキシブル配線基板の少なくとも一部と、前記第２フレキシブル配線基板の少なくとも一部とは、前記第１回路基板の前記第２回路基板とは反対の側に位置することを特徴とする表示モジュール。
【請求項８】
請求項７に記載された表示モジュールにおいて、
前記第１回路基板の前記第２回路基板とは反対の側に配置された外部回路基板をさらに有し、
前記外部回路基板は、前記第１フレキシブル配線基板及び前記第２フレキシブル配線基板と接続されることを特徴とする表示モジュール。
【請求項９】
請求項１から８のいずれか１項に記載された表示モジュールにおいて、
前記第２回路基板はタッチパネルであることを特徴とする表示モジュール。
【発明の詳細な説明】
【技術分野】
【０００１】
本発明は、表示モジュールに関する。
【背景技術】
【０００２】
従来、特許文献１、２に示すように、可撓性を有する複数の基板がモジュール化された表示モジュールが知られている。表示モジュールとしては、画像表示機能が設けられた画像表示領域を有する回路基板と、画像表示機能に付加される付加機能が設けられた回路基板との２枚の回路基板が重ねて設けられたものがある。なお、付加機能を有する回路基板としては、例えば、タッチパネルがある。相互に重ねて設けられた回路基板の端部にはフレキシブル配線基板がそれぞれ接合される。
【先行技術文献】
【特許文献】
【０００３】
【特許文献１】特開２００７−１８３６０５号公報
【特許文献２】特開２０１３−１５８３５号公報
【発明の概要】
【発明が解決しようとする課題】
【０００４】
ここで、相互に重ねて設けられた回路基板の端部にそれぞれ接合されるフレキシブル配線基板のいずれか一方に表面から突起する部分などがある場合、その突起する部分が他方のフレキシブル配線基板に干渉して、フレキシブル配線基板間において電気的な接続不良を生じるおそれがある。
【０００５】
上記課題を鑑みて、本発明は、第１フレキシブル配線基板と第２フレキシブル配線基板とが相互に干渉することを回避することを目的とする。
【課題を解決するための手段】
【０００６】
本発明に係る表示モジュールは、可撓性を有し、画像表示機能が設けられた表示領域を有し、前記表示領域の外側に第１周辺領域を有する第１回路基板と、可撓性を有し、前記画像表示機能に付加される機能が設けられた付加機能領域を有し、前記付加機能領域の外側に第２周辺領域を有し、前記第１回路基板と部分的に重なる第２回路基板と、前記第１周辺領域の第１端部に接合されることで前記第１回路基板に電気的に接続された第１フレキシブル配線基板と、前記第２周辺領域の第２端部に接合されることで前記第２回路基板に電気的に接続された第２フレキシブル配線基板と、を有し、前記第１回路基板及び前記第２回路基板は、前記表示領域及び前記付加機能領域が重なって前記第１端部と前記第２端部がずれるように配置され、前記第１フレキシブル配線基板及び前記第２フレキシブル配線基板は、相互に重ならないように配置されて、前記第１回路基板は前記第１周辺領域に第１屈曲部を有し、前記第１フレキシブル配線基板が、前記第１回路基板の、前記第２回路基板とは反対側に延び、前記第２回路基板は前記第２周辺領域に第２屈曲部を有し、前記第２フレキシブル配線基板が、前記第１回路基板の、前記第２回路基板とは反対側に延びる。このような表示モジュールにおいては、第１フレキシブル配線基板と第２フレキシブル配線基板とが相互に重ならないため、第１フレキシブル配線基板と第２フレキシブル配線基板とが相互に干渉することが回避される。
【図面の簡単な説明】
【０００７】
【図１】本発明の第１実施形態に係る表示モジュールを展開した状態を模式的に示す図である。
【図２】本発明の第１実施形態に係る表示モジュールを模式的に示す側面図である。
【図３】本発明の第１実施形態に係る表示モジュールを模式的に示す図である。
【図４】本発明の第２実施形態に係る表示モジュールを展開した状態を模式的に示す図である。
【図５】本発明の第２実施形態に係る表示モジュールを模式的に示す図である。
【図６】本発明の第３実施形態に係る表示モジュールを模式的に示す側面図である。
【発明を実施するための形態】
【０００８】
以下に、本発明の実施形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
図１は、本発明の第１実施形態に係る表示モジュールを展開した状態を示す図であって、図１（ａ）は外観斜視図、図１（ｂ）は表示領域の表面側から見た平面図である。図２は、本発明の第１実施形態に係る表示モジュールを模式的に示す側面図である。図３は、本発明の実施形態に係る表示モジュールを示す図である。図３（ａ）は外観斜視図、図３（ｂ）は表示領域の表面側から見た平面図、図３（ｃ）は表示領域の裏面側から見た平面図である。なお、表示領域の表面とは、画像表示パネル１０の、タッチパネル２０に対向する側の面であり、裏面とは、画像表示パネル１０の、タッチパネル２０に対向する側の反対側の面である。
【００１０】
表示モジュール１００は、第１回路基板としての画像表示パネル１０と、第２回路基板としてのタッチパネル２０とを有する。画像表示パネル１０は、可撓性を有する。また、画像表示パネル１０は、画像表示機能が設けられた表示領域Ａ１（図１の二点鎖線の内側の領域）と、表示領域Ａ１の外側の第１周辺領域Ａ２（図１の二点鎖線の外側の領域）とを有する。なお、図２に示すように、表示領域Ａ１は、後述するタッチパネル２０の付加機能領域Ｂ１と重なる位置に設けられている。
【００１１】
画像表示パネル１０は、詳細には図示しないが、フレキシブルな有機ＥＬ（Ｅｌｅｃｔｒｏ  Ｌｕｍｉｎｅｓｃｅｎｃｅ）表示装置であって、ＴＦＴ（Ｔｈｉｎ  Ｆｉｌｍ  Ｔｒａｎｓｉｓｔｏｒ）基板と、対向基板（例えば、封止基板、カラーフィルター基板等）とで構成される。ＴＦＴ基板は、ＴＦＴ回路層、ＴＦＴ回路層により発光が制御される有機ＥＬ層、有機ＥＬ層を覆う無機絶縁材料からなる封止層などで構成される基板である。このような画像表示パネル１０としては、例えば、携帯端末の表示装置がある。
【００１２】
タッチパネル２０は可撓性を有する。また、タッチパネル２０は、画像表示パネル１０の画像表示機能に付加される機能が設けられた付加機能領域Ｂ１（図１の二点鎖線の内側の領域）と、付加機能領域Ｂ１の外側の第２周辺領域Ｂ２（図１の二点鎖線の外側の領域）とを有し、画像表示パネル１０に部分的に重なるように配置される。
【００１３】
第１実施形態に係る表示モジュール１００においては、第２回路基板として、画面上の表示を押すことで機器を操作する入力機能を備えるタッチパネルを用いた。しかしながら、本発明はこれに限定されるものではなく、画像表示機能に付加される機能を有し、ＦＰＣ（Ｆｌｅｘｉｂｌｅ  Ｐｒｉｎｔｅｄ  Ｃｉｒｃｕｉｔｓ）が電気的に接続される回路基板であれば、第２回路基板は他の基板であってもよい。例えば、第２回路基板は、視差バリアなど、３Ｄ映像を可能にするという付加機能を有する回路基板であってもよい。また、タッチパネル２０自体が、画像表示パネル１０の対向基板を兼ねていても良い。
【００１４】
また、図１等に示すように、第１実施形態に係る表示モジュール１００は、第１フレキシブル配線基板としてのＦＰＣ基板３０と、第２フレキシブル配線基板としてのＦＰＣ基板４０とを有する。ＦＰＣ基板３０とＦＰＣ基板４０は、絶縁性をもった樹脂材と導電性金属を貼り合わせた基材からなり、電気回路を有する基板である。
【００１５】
ＦＰＣ基板３０は、画像表示パネル１０の第１周辺領域Ａ２にある第１端部１１に接合されることで画像表示パネル１０に電気的に接続される。ＦＰＣ基板４０は、タッチパネルの第２周辺領域Ｂ２にある第２端部２１に接合されることでタッチパネル２０に電気的に接続される。
【００１６】
また、ＦＰＣ基板３０とＦＰＣ基板４０とは相互に重ならないように配置されている。具体的には、第１実施形態においては、表示領域Ａ１から第１端部１１への方向と、付加機能領域Ｂ１から第２端部２１への方向とは、１８０°ずれている。そのため、第１端部１１に接合されるＦＰＣ基板３０と、第２端部２１に接合されるＦＰＣ基板４０とは、１８０°ずれて配置されている。
【００１７】
ＦＰＣ基板３０には電子部品としてのＩＣ（Ｉｎｔｅｇｒａｔｅｄ  Ｃｉｒｃｕｉｔ）５０が搭載されている。図１〜図３に示すように、第１実施形態においては、ＩＣ５０は、ＦＰＣ基板３０のうち、画像表示パネル１０の第１端部１１に接合される側に対向する側の端部付近に搭載されている。ＩＣ５０は、ＦＰＣ基板３０の表面上に搭載されるため、ＩＣ５０の厚み分だけＦＰＣ基板３０の表面から突起している。また、図１、図３（ｃ）に示すように、第１実施形態のＩＣ５０の形状は略直方体であり、略矩形状であるＦＰＣ基板３０の長手方向に直交する方向（短手方向）に延びて形成されている。
【００１８】
ここで、画像表示パネル１０と、タッチパネル２０と、ＦＰＣ基板３０と、タッチパネル側基板４０とで形成された部材をモジュール化するために、画像表示パネル１０とタッチパネル２０の端部を屈曲し、ＦＰＣ基板３０とタッチパネル側基板４０を画像表示パネル１０の、タッチパネル２０の反対側に延びるように折り曲げる。このように４つの基板で形成された部材はモジュール化された状態で、筐体などに格納される。具体的には、図２に示すように、可撓性を有する画像表示パネル１０は、第１周辺領域Ａ２に第１屈曲部Ｅ１を有する。第１実施形態においては、第１屈曲部Ｅ１は、第１端部１１に形成されている。そして、画像表示パネル１０に接合されるＦＰＣ基板３０が、画像表示パネル１０の屈曲に伴って第１屈曲部Ｅ１の屈曲方向に屈曲し、画像表示パネル１０の、タッチパネル２０とは反対側に延びている。
【００１９】
また、図２に示すように、タッチパネル２０は、第２周辺領域Ｂ２に第２屈曲部Ｅ２を有する。第１実施形態においては、第２屈曲部Ｅ２は、第２端部２１に形成されている。そして、タッチパネル２０に接合されるＦＰＣ基板４０が、第２屈曲部Ｅ２の屈曲方向に屈曲し、画像表示パネル１０の、タッチパネル２０とは反対側に延びている。
【００２０】
このように、画像表示パネル１０、タッチパネル２０、ＦＰＣ基板３０、ＦＰＣ基板４０を屈曲させる構成を採用することにより、表示領域Ａ１と同一平面上に存在する第１周辺領域Ａ２を小さくすることができ、表示モジュール１００の狭額縁化を実現することができる。
【００２１】
また、上述したように、ＦＰＣ基板３０とＦＰＣ基板４０とは、１８０°ずれて配置されているため、画像表示パネル１０の、タッチパネル２０とは反対側に折りたたまれた状態において、相互に接触しない。
【００２２】
上述した構成を採用することにより、第１実施形態に係る表示モジュール１００においては、ＦＰＣ基板３０に搭載されるＩＣ５０によるＦＰＣ基板４０への干渉が回避される。その結果、ＦＰＣ基板３０とＦＰＣ基板４０間の電気的な接続不良の発生が抑制される。また、ＩＣ５０の干渉によるＦＰＣ基板４０の破損が抑制される。そのため、ＦＰＣ基板４０の損傷を原因とする電気的な接続不良の発生が抑制される。
【００２３】
次に、図４、図５を参照して、本発明の第２実施形態に係る表示モジュールについて説明する。図４は、本発明の第２実施形態に係る表示モジュールを展開した状態を模式的に示す図であって、図４（ａ）は外観斜視図、図４（ｂ）は表示領域Ａ１の表面側から見た平面図である。図５は、本発明の第２実施形態に係る表示モジュールを模式的に示す図である。図５（ａ）は外観斜視図、図５（ｂ）は表示領域Ａ１の表面側から見た平面図、図５（ｃ）は表示領域Ａ１の裏面側から見た平面図である。
【００２４】
第２実施形態に係る表示モジュール２００は、第１実施形態に係る表示モジュール１００と同様に、第１回路基板としての画像表示パネル１０、第２回路基板としてのタッチパネル２０、第１フレキシブル配線基板としてのＦＰＣ基板３０、第２フレキシブル配線基板としてのＦＰＣ基板４０とを有する。第１実施形態においては、表示領域Ａ１から第１端部１１への方向と、付加機能領域Ｂ１から第２端部２１への方向とが、１８０°ずれる構成であったが、第２実施形態においては、そのずれが９０°である点で第１実施形態の構成と異なる。すなわち、ＦＰＣ基板３０とＦＰＣ基板４０とが、９０°ずれて配置されることで、相互に重ならない構成となっている。
【００２５】
また、図４（ａ）に示すように、タッチパネル２０は、画像表示パネル１０に重なる重複部分２２及び重複部分２２から突出する突出部分２３を有する。この突出部分２３の先端部が、ＦＰＣ基板４０が接合される第２端部２１となっている。また、図４（ｂ）に示すように、突出部分２３の突出方向に直交する方向で、突出部分２３の幅ｗは、重複部分２２の幅Ｗよりも小さい。
【００２６】
第２端部２１がある突出部分２３が屈曲し、その屈曲方向にＦＰＣ基板４０が屈曲し、画像表示パネル１０の、タッチパネル２０とは反対側に延びている。
【００２７】
このような構成を採用することにより、第２実施形態に係る表示モジュール２００においては、第１実施形態と同様に、ＦＰＣ基板３０に搭載されるＩＣ５０によるＦＰＣ基板４０への干渉が回避される。その結果、ＦＰＣ基板３０とＦＰＣ基板４０間の電気的な接続不良の発生が抑制される。また、ＩＣ５０の干渉によるＦＰＣ基板４０の破損が抑制される。そのため、ＦＰＣ基板４０の損傷を原因とする電気的な接続不良の発生が抑制される。
【００２８】
なお、図４、図５には、タッチパネル２０が突出部分を有する構成を示したが、本発明はこれに限られるものではない。画像表示パネル１０が先端に第１端部１１がある突出部分を有し、その突出部分の突出方向と、付加機能領域Ｂ１から第２端部２１への方向とが９０°ずれた構成であってもよい。そのような構成であっても、ＦＰＣ基板３０とＦＰＣ基板４０とが、９０°ずれて配置されることで相互に重ならないため、一方のＦＰＣ基板に搭載されるＩＣ５０が他方のＦＰＣ基板に干渉することが回避される。
【００２９】
次に、図６を参照して、本発明の第３実施形態に係る表示モジュールについて説明する。図６は、本発明の第３実施形態に係る表示モジュールを模式的に示す側面図である。図１〜図５においては、画像表示パネル１０の第１屈曲部Ｅ１が第１端部１１に形成されており、タッチパネル２０の第２屈曲部Ｅ２が第２端部２１に形成された構成について説明したが、図６においては、表示領域Ａ１と第１端部１１との間に第１屈曲部Ｅ１を有し、付加機能領域Ｂ１と第２端部２１との間に第２屈曲部Ｅ２を有する構成について説明する。なお、図１〜図５を用いて説明した第１及び第２実施形態の構成と同じ構成については同一の符号を用いて、その説明の詳細は省略する。
【００３０】
第３実施形態に係る表示モジュール３００は、第１実施形態に係る表示モジュール１００と同様に、表示領域Ａ１から第１端部１１への方向と、付加機能領域Ｂ１から第２端部２１への方向とは、１８０°ずれている。すなわち、第１端部１１に接合されるＦＰＣ基板３０と、第２端部２１に接合されるＦＰＣ基板４０とは、１８０°ずれて配置されており、相互に重ならない。そして、表示モジュール３００においては、第１実施形態に係る表示モジュールと比較して、第１周辺領域Ａ２のうち表示領域Ａ１により近い位置で、画像表示パネル１０を屈曲している。同様に、第２周辺領域Ｂ２のうち付加機能領域Ｂ１により近い位置で、タッチパネル２０を屈曲している。このような構成を採用することで、表示領域Ａ１と同一平面上に存在する第１周辺領域Ａ２を小さくすることができ、表示モジュールにおいてさらなる狭縁額化を実現することができる。
【００３１】
また、表示モジュール３００は、画像表示パネル１０の、タッチパネル２０とは反対側に配置された外部回路基板６０を有する。外部回路基板６０は、コネクタ６１、６２を介して、ＦＰＣ基板３０及びＦＰＣ基板４０に電気的に接続されている。
【００３２】
また、画像表示パネル１０、タッチパネル２０、ＦＰＣ基板３０、及びＦＰＣ基板４０は、弾性変形によって屈曲している。そして、その弾性変形の復元力に対抗するように、外部回路基板６０が、コネクタ６１、６２を介して、ＦＰＣ基板３０及びＦＰＣ基板４０を連結している。そのため、各基板の屈曲された状態が保持される。その結果、各基板の形状が保持され、撓みなどが抑制される。
【００３３】
なお、上記各実施形態においては、一例として電子部品としてのＩＣ５０がＦＰＣ基板３０に搭載される構成について説明したが、本発明はこれに限られるものではない。電子部品等の有無に関わらず、画像表示側ＦＰＣ３０とＦＰＣ基板４０とが相互に重ならないように配置される構成とすることで、画像表示側ＦＰＣ基板４０とＦＰＣ基板４０とを非接触とし、それらＦＰＣ基板が相互に干渉し合うことを回避するという本発明の効果を得ることができる。
【符号の説明】
【００３４】
１０  画像表示パネル（第１回路基板）、１１  第１端部、２０  タッチパネル（第２回路基板）、２１  第２端部、２２  重複部分、２３  突出部部分、３０  ＦＰＣ基板（第１フレキシブル配線基板）、４０  ＦＰＣ基板（第２フレキシブル配線基板）、５０  ＩＣ、６０  外部回路基板、６１,６２  コネクタ、１００，２００，３００  表示モジュール、Ａ１  表示領域、Ａ２  第１周辺領域、Ｂ１  付加機能領域、Ｂ２  第２周辺領域、Ｅ１  第１屈曲部、Ｅ２  第２屈曲部。
【図１】
0006412810.tif 000002
【図２】
0006412810.tif 000003
【図３】
0006412810.tif 000004
【図４】
0006412810.tif 000005
【図５】
0006412810.tif 000006
【図６】
0006412810.tif 000007